(57)【要約】【課題】透明パネルに連結されたチップオンフィルムに具備されたチップが挿入されるチップ溝が背面に具備された、バックカバー及びこれを用いた透明表示装置を提供する。【解決手段】本発明に係る透明表示装置は、透明パネル及びバックカバーを含む。前記透明パネルは、映像を出力する機能を実行し、透明な材質で構成される。前記バックカバーは、透明な材質で構成される。前記バックカバーの正面には、前記透明パネルが配置される。前記バックカバーの背面には、前記透明パネルに連結されたチップオンフィルムに具備されたチップが挿入されるチップ溝が具備される。【選択図】図２
2017049563.tif 000002
【特許請求の範囲】
【請求項１】
映像を生成する画素を含む透明パネルと、
後方に曲がる少なくとも一つのフレキシブル基板と、
前記透明パネルの背面にあるバックカバーと
を含み、
前記フレキシブル基板は、前記透明パネルのパッド領域に電気的に連結される一端を有し、前記フレキシブル基板の各々は、前記画素にあるトランジスタのゲートに信号を供給するチップを含み、
前記バックカバーの背面には少なくとも一つの溝があり、前記バックカバーは、前記フレキシブル基板の前記チップを収容する、透明表示装置。
【請求項２】
前記透明パネルと前記バックカバーの間に配置される遮光板をさらに含み、
前記遮光板は、遮光モードと透過モードをスイッチングし、
前記遮光モードにおいて、前記バックカバーを通過した光は前記遮光板によって遮断され、
前記透過モードにおいて、前記バックカバーを通過した光の一部は前記遮光板を通じて前記透過パネルに伝送される、
ことを特徴とする請求項１に記載の透明表示装置。
【請求項３】
透明な前記バックカバーは、曲がった前記フレキシブル基板に隣接して前記フレキシブル基板の曲率を定義するラウンド状の角を含む、
ことを特徴とする請求項１に記載の透明表示装置。
【請求項４】
前記透明パネルは、上部基板と、前記上部基板と透明な前記バックカバーの間にある下部基板とを含み、
前記下部基板は、前記パッド領域を含み、
前記フレキシブル基板は、前記下部基板の後方に曲がる、
ことを特徴とする請求項１に記載の透明表示装置。
【請求項５】
前記フレキシブル基板をカバーし、前記溝へ前記フレキシブル基板の前記チップを押す、少なくとも一つのフィルムハウジングをさらに含む、
ことを特徴とする請求項１に記載の透明表示装置。
【請求項６】
各々の前記フィルムハウジングは、
前記バックカバーの反対の方に向かっている前記透明パネルの前面をカバーする第１領域と、
前記バックカバーの背面をカバーする第２領域と、
前記第１領域と前記第２領域を連結する第３領域と
を含み、
弾性力を利用して、前記第１領域は前記前面を圧着し、前記第２領域は前記バックカバーの背面に圧着される、
ことを特徴とする請求項５に記載の透明表示装置。
【請求項７】
複数の前記溝が前記バックカバーの前記背面に形成され、複数の前記チップを収容する、
ことを特徴とする請求項１に記載の透明表示装置。
【請求項８】
前記溝は、前記バックカバーの一側の終端から前記バックカバーの他側の終端に延長される、
ことを特徴とする請求項１に記載の透明表示装置。
【請求項９】
透明表示装置に適用されるバックカバーにおいて、
イメージを生成する画素を含む透明パネルと対向している前面と、
少なくとも一つの溝が形成されている背面と、
後方に曲がる少なくとも一つのフレキシブル基板に隣接する曲面と
を含み、
前記溝は、前記フレキシブル基板に装着されて前記パッド領域を通じて前記透明パネルにあるトランジスタのゲートに信号を供給してイメージを生成するチップを収容し、
前記フレキシブル基板の各々は、前記透明パネルのパッド領域に電気的に連結される一端を含み、
前記曲面は前記フレキシブル基板の曲率を定義する、バックカバー。
【請求項１０】
前記透明パネルは、上部基板と、前記上部基板と透明な前記バックカバーの間にある下部基板とを含み、
前記下部基板は、前記パッド領域を含み、
前記フレキシブル基板は、前記下部基板の後方に曲がる、
ことを特徴とする請求項９に記載のバックカバー。
【請求項１１】
前記曲面は、少なくとも一つの前記フレキシブル基板をカバーして、前記フレキシブル基板のチップを前記溝へ押すフィルムハウジングによりカバーされる、
ことを特徴とする請求項９に記載のバックカバー。
【請求項１２】
前記前面及び背面は、前記溝へ前記フレキシブル基板のチップを押す少なくとも一つのフィルムハウジングと隣接する、ことを特徴とする請求項９に記載のバックカバー。
【請求項１３】
複数の前記溝が前記バックカバーの背面に形成され、複数の前記チップを収容する、
ことを特徴とする請求項９に記載のバックカバー。
【請求項１４】
前記溝は、前記バックカバーの一側の終端から前記バックカバーの他側の終端に延長される、
ことを特徴とする請求項９に記載のバックカバー。
【請求項１５】
フレキシブル基板の終端を透明パネルのパッド領域に電気的に連結させる段階と、
前記フレキシブル基板を、前記透明パネルの背面でバックカバーの曲面を通じて後方にバンディングし、前記フレキシブル基板の背面が前記バックカバーの曲面に隣接されるようにする段階と、及び
前記フレキシブル基板のチップを前記バックカバーの背面にある溝に収容させる段階を含み、
前記チップは、画素にあるトランジスタのゲートに信号を供給する、透明表示装置の製造方法。
【請求項１６】
前記フレキシブル基板をフィルムハウジングでカバーする段階をさらに含む、
ことを特徴とする請求項１５に記載の透明表示装置の製造方法。
【請求項１７】
前記フレキシブル基板は、遮光板の角を通じて曲がり、
前記遮光板は遮光モードと透過モードをスイッチングし、
前記遮光モードにおいて、前記バックカバーを通過した光は、前記遮光板によって遮断され、前記透過モードにおいて、前記バックカバーを通過した光の一部は、前記遮光板を通じて前記透過パネルに伝送される、
ことを特徴とする請求項１５に記載の透明表示装置の製造方法。
【請求項１８】
バックカバーを形成する段階をさらに含み、
前記バックカバーは、前記バックカバーの背面にある溝を含む、
ことを特徴とする請求項１７に記載の透明表示装置の製造方法。
【請求項１９】
前記フレキシブル基板は、前記透明パネルの下部基板を通じて曲がり、前記透明パネルの上部基板を通じて曲がることはなく、
前記パッド領域は、前記透明パネルの前記下部基板に具備される、
ことを特徴とする請求項１７に記載の透明表示装置の製造方法。
【発明の詳細な説明】
【技術分野】
【０００１】
本発明は、透明表示装置、バックカバー及びこれを用いた透明表示装置の製造方法に関するものである。
【背景技術】
【０００２】
携帯電話機、タブレットＰＣ、ノートパソコン、モニターなどを含む多様な種類の電子製品には、表示装置が利用されている。表示装置には、液晶表示装置（ＬＣＤ：Ｌｉｑｕｉｄ  Ｃｒｙｓｔａｌ  Ｄｉｓｐｌａｙ  ＡＰＰＡＲＡＴＵＳ）及び有機発光表示装置（ＯＬＥＤ：Ｏｒｇａｎｉｃ  Ｌｉｇｈｔ  Ｅｍｉｔｔｉｎｇ  Ｄｉｓｐｌａｙ  ＡＰＰＡＲＡＴＵＳ）などがある。
【０００３】
表示装置のうち、液晶表示装置は、量産化技術、駆動手段の容易性、高画質の具現という長所により現在最も広く常用化されている。表示装置のうち、有機発光表示装置は、高速の応答速度を持ち、消費電力が低いため、次世代表示装置として注目されている。
【０００４】
最近では、多様な機能及び多様なデザインを好むユーザーの欲求を充足させるための目的で、光を透過させることができる透明表示装置が開発されている。
【０００５】
図１は、従来の透明表示装置に適用される透明パネルの正面を示す例示図である。
【０００６】
従来の透明表示装置に適用される透明パネル１０の正面の左右両側のうち、少なくとも一側には、図１に示されたように、ゲートドライバーの機能を実行するゲートドライバー用チップ３２が装着されているゲートドライバー用チップオンフィルム３１が付着される。特に、前記ゲートドライバー用チップオンフィルム３１は、前記透明パネル１０を構成する下部基板のパッド部２０に付着される。前記ゲートドライバー用チップオンフィルム３１は、少なくとも一つ以上具備し得る。
【０００７】
前記透明パネル１０の正面の下段には、データドライバーの機能を実行するデータドライバー用チップ４２が装着されているデータドライバー用チップオンフィルム４１が付着され、前記データドライバー用チップオンフィルム４１は印刷回路基板５０に付着される。
【０００８】
従来の透明表示装置に適用される前記透明パネル１０のアクティブ領域は透明である。前記ゲートドライバー用チップオンフィルム３１が前記透明パネル１０の背面にボンディングされた後、前記背面に付着されると、前記ゲートドライバー用チップオンフィルム３１が前記アクティブ領域に配置される。
【０００９】
したがって、従来の透明表示装置では、前記ゲートドライバー用チップオンフィルム３１が、図１に示されたように配置された状態で、前記ゲートドライバー用チップオンフィルム３１がケースなどに装着される。
【００１０】
これによって従来の透明表示装置では、前記ゲートドライバー用チップオンフィルム３１の幅の大きさほどベゼルの大きさが増加する。
【００１１】
例えば、従来の透明表示装置の左右両側各々のべゼルの大きさ（Ｘ）は、前記パッド部２０の幅（Ａ）及び前記ゲートドライバー用チップオンフィルム３１のうち前記パッド部２０の外郭に突出された部分の幅（Ｂ）を合わせた長さである。
【００１２】
詳細に説明すると、従来の透明表示装置では、前記透明パネル１０の正面の左右両側のうち、少なくともある一つに装着されるゲートドライバー用チップオンフィルム３１が、前記透明パネルの側面から突出される。前記ゲートドライバー用チップオンフィルム３１が突出された状態で、前記ゲートドライバー用チップオンフィルム３１がケースなどによりカバーされる。したがって、前記透明パネル１０を含む透明表示装置の左右ベゼルの大きさが増加する。
【発明の概要】
【発明が解決しようとする課題】
【００１３】
本発明は、上述した問題点を解決するために提案されたものであって、透明パネルに連結されたチップオンフィルムに具備されたチップが挿入されるチップ溝が背面に具備された、バックカバー及びこれを用いた透明表示装置を提供することを技術的課題とする。
【課題を解決するための手段】
【００１４】
上述した技術的課題を達成するための本発明に係る透明表示装置は、映像を生成する画素を含む透明パネル；後方に曲がる少なくとも一つのフレキシブル基板；及び前記透明パネルの背面にあるバックカバーを含み、前記フレキシブル基板は、前記透明パネルのパッド領域に電気的に連結される一端を有し、前記フレキシブル基板の各々は、前記画素にあるトランジスタのゲートに信号を供給するチップを含み、前記バックカバーの背面には少なくとも一つの溝があり、前記バックカバーは、前記フレキシブル基板の前記チップを収容する。
【００１５】
本発明に係る透明表示装置は、前記透明パネルと前記バックカバーの間に配置される遮光板をさらに含み、前記遮光板は遮光モードと透過モードをスイッチングし、前記遮光モードで、前記バックカバーを通過した光は前記遮光板によって遮断され、前記透過モードで、前記バックカバーを通過した光の一部は前記遮光板を通じて前記透過パネルに伝送される。
【００１６】
透明な前記バックカバーは、曲がった前記フレキシブル基板に隣接して前記フレキシブル基板の曲率を定義するラウンド状の角を含む。
【００１７】
前記透明パネルは、上部基板と、前記上部基板と透明な前記バックカバーの間にある下部基板とを含み、前記下部基板は前記パッド領域を含み、前記フレキシブル基板は前記下部基板の後方に曲がる。
【００１８】
本発明に係る透明表示装置は、前記フレキシブル基板をカバーして、前記溝へ前記フレキシブル基板の前記チップを押す、少なくとも一つのフィルムハウジングをさらに含む。
【００１９】
各々の前記フィルムハウジングは、前記バックカバーの反対の方に向かっている前記透明パネルの前面をカバーする第１領域；前記バックカバーの背面をカバーする第２領域；及び前記第１領域と前記第２領域を連結する第３領域を含み、弾性力を利用して、前記第１領域は前記前面を圧着して、前記第２領域は前記バックカバーの背面に圧着される。
【００２０】
複数の前記溝が前記バックカバーの前記背面に形成され、複数の前記チップを収容する。
【００２１】
前記溝は、前記バックカバーの一側の終端から前記バックカバーの他側の終端に延長される。
【００２２】
上述した技術的課題を達成するための本発明に係る透明表示装置に適用されるバックカバーは、イメージを生成する画素を含む透明パネルと対向している前面；少なくとも一つの溝が形成されている背面；及び後方に曲がる少なくとも一つのフレキシブル基板に隣接する曲面を含み、前記溝は、前記フレキシブル基板に装着されて前記パッド領域を通じて前記透明パネルにあるトランジスタのゲートに信号を供給してイメージを生成するチップを収容し、前記フレキシブル基板の各々は、前記透明パネルのパッド領域に電気的に連結される一端を含み、前記曲面は前記フレキシブル基板の曲率を定義する。
【００２３】
前記透明パネルは、上部基板及び、前記上部基板と透明な前記バックカバーの間にある下部基板を含み、前記下部基板は、前記パッド領域を含み、前記フレキシブル基板は、前記下部基板の後方に曲がる。
【００２４】
前記曲面は、少なくとも一つの前記フレキシブル基板をカバーして、前記フレキシブル基板のチップを前記溝へ押すフィルムハウジングによりカバーされる。
【００２５】
前記前面及び背面は、前記溝へ前記フレキシブル基板のチップを押す少なくとも一つのフィルムハウジングと隣接する。
【００２６】
複数の前記溝が前記バックカバーの背面に形成され、複数の前記チップを収容する。
【００２７】
前記溝は、前記バックカバーの一側の終端から前記バックカバーの他側の終端に延長される。
【００２８】
上述した技術的課題を達成するための本発明に係る透明表示装置の製造方法は、フレキシブル基板の終端を透明パネルのパッド領域に電気的に連結させる段階；前記フレキシブル基板を、前記透明パネルの背面でバックカバーの曲面を通じて後方にバンディングして、前記フレキシブル基板の背面が前記バックカバーの曲面に隣接されるようにする段階；及び前記フレキシブル基板のチップを前記バックカバーの背面にある溝に収容させる段階を含み、前記チップは、画素にあるトランジスタのゲートに信号を供給する。
【００２９】
本発明に係る透明表示装置の製造方法は、前記フレキシブル基板をフィルムハウジングでカバーする段階をさらに含む。
【００３０】
前記フレキシブル基板は、遮光板の角を通じて曲がり、前記遮光板は遮光モードと透過モードをスイッチングし、前記遮光モードで、前記バックカバーを通過した光は、前記遮光板によって遮断され、前記透過モードで、前記バックカバーを通過した光の一部は、前記遮光板を通じて前記透過パネルに伝送される。
【００３１】
本発明に係る透明表示装置の製造方法は、バックカバーを形成する段階をさらに含み、前記バックカバーは、前記バックカバーの背面にある溝を含む。
【００３２】
前記フレキシブル基板は、前記透明パネルの下部基板を通じて曲がり、前記透明パネルの上部基板を通じて曲がることはなく、前記パッド領域は、前記透明パネルの前記下部基板に具備される。
【発明の効果】
【００３３】
本発明によると、透明パネルのパッド部に具備されたチップオンフィルムがバックカバーの側面に沿って前記バックカバーの背面にバンディングされ、前記チップオンフィルムに装着されているチップが、前記バックカバーの側面に具備されたチップ溝に挿入される。したがって、前記透明パネルを含む透明表示装置のベゼルの大きさが減少されることができる。
【図面の簡単な説明】
【００３４】
【図１】従来の透明表示装置に適用される透明パネルの正面を示す例示図である。
【図２】本発明に係る透明表示装置の構成を示す例示図である。
【図３】本発明に係る透明表示装置の角部分の正面を示す例示図である。
【図４】図３に示された角部分の背面を示す例示図である。
【図５】本発明に係る透明表示装置の角部分の正面を示す他の例示図である。
【図６】図５に示された角部分の背面を示す例示図である。
【図７】本発明に係る透明表示装置の正面を示す例示図である。
【図８】本発明に係る透明表示装置の背面を示す例示図である。
【発明を実施するための形態】
【００３５】
以下、添付の図面を参照して、本発明の実施例について詳細に説明する。
【００３６】
本発明の利点及び特徴、そしてそれらを達成する方法は、添付した図面とともに詳細に後述されている実施例を参照すると明確になる。しかし、本発明は、以下に開示される実施例に限らず、互いに異なる多様な形態に具現され、単に本実施例は、本発明の開示が完全であるようにし、本発明の属する技術分野における通常の知識を有する者に発明の範囲を完全に知らせるために提供されるものであって、本発明は請求項の範囲によってのみ定義されるものである。
【００３７】
本明細書における各図面の構成要素に参照番号を付加する際、同一の構成要素に限っては、たとえ異なる図面上に表示されてもできるだけ同一の番号を有するようにしていることに留意すべきである。
【００３８】
本発明の実施例を説明するための図面に開示された形状、大きさ、比率、角度、数などは例示的なものなので、本発明が図示した事項に限定されてはならない。明細書全体にわたって同一の参照番号は、同一の構成要素を意味する。また、本発明を説明する際、関連した公示技術に関する具体的な説明が本発明の要旨を不要にぼやかす可能性があると判断される場合にはその詳細な説明は省略する。本明細書において記述される「含む」、「有する」、「行われる」などが使用される場合、「〜だけ」が使用されない以上、他の部分が追加されることができる。構成要素を単数に表現した場合、特別に明示的な記載事項が無い限り、複数を含む場合を含む。
【００３９】
構成要素を解釈する際、別途の明示的記載が無くても誤差範囲を含むものと解釈する。
【００４０】
位置関係に関する説明である場合、例えば、「〜上に」、「〜上部に」、「〜下部に」、「〜側に」などで二つの部分の位置関係が説明される場合、「直ぐに」又は「直接」が使用されない以上、二つの部分の間に一つ以上の他の部分が位置することもできる。
【００４１】
時間関係に関する説明である場合、例えば、「〜後に」、「〜に次いで」、「〜次に」、「〜前に」などで時間的前後関係が説明される場合、「直ぐに」又は「直接」が使用されない以上、連続的でない場合も含むことができる。
【００４２】
「少なくとも一つ」という用語は、一つ以上の関連項目から提示可能な全ての組み合わせを含むものと理解しなければならない。例えば、「第１項目、第２項目、及び第３項目のうちの少なくとも一つ」の意味は、第１項目、第２項目、または第３項目それぞれだけでなく、第１項目、第２項目、及び第３項目のうちの二つ以上から提示できる全ての項目の組み合わせを意味する。
【００４３】
第１、第２などが多様な構成要素を叙述するために使用されるが、これら構成要素は、これら用語により制限されない。これら用語は、単に一つの構成要素を他の構成要素と区別するために使用するものである。したがって、以下で言及される第１構成要素は、本発明の技術的思想内で第２構成要素であることもできる。
【００４４】
本発明の様々な実施例の各特徴が、部分的に、又は全体的に互いに結合又は組み合わせが可能であって、技術的に多様な連動及び駆動が可能であり、各実施例が互いに対して独立的に実施可能であることができ、連関関係で共に実施することもできる。
図２は、本発明に係る透明表示装置の構成を示す例示図である。
【００４５】
本発明に係る透明表示装置は、図２に示されたように、映像を出力する、透明な透明パネル１１０、透明であり、正面には遮光板１２０が配置され、背面には、前記透明パネル１１０に連結されたゲートドライバー用チップオンフィルム１１１に具備されたゲートドライバー用チップ１１２が挿入されるチップ溝１３１が具備されたバックカバー１３０、前記透明パネル１１０の背面に配置され、前記バックカバー１３０の正面に配置されて、光の透過度を可変させる遮光板１２０、前記透明パネル１１０、前記遮光板１２０及び前記バックカバー１３０に装着され、前記透明パネル１１０の側面、前記遮光板１２０の側面及び前記バックカバー１３０の側面をカバーし、前記チップオンフィルム１１１をカバーするフィルムハウジング１４０を含む。
【００４６】
前記透明パネル１１０は、液晶表示パネル又は有機発光表示パネルで構成されることができる。前記透明パネル１１０には、ゲートラインとデータラインが具備されており、前記ゲートラインに供給されるゲートパルスと、前記データラインを通じて供給されるデータ電圧により、前記透明パネル１１０に具備された各画素から映像が出力される。前記透明パネル１１０が、前記有機発光表示パネルで構成された場合、前記有機発光表示パネルは、トップエミッション方式を利用して製造することができる。
【００４７】
トップエミッション方式を利用する前記透明パネル１１０は、ユーザーが位置した正面方向に映像を出力する。
【００４８】
前記透明パネル１１０には、画素が配置されており、前記画素の各々は、パネル隔壁またはブラックマトリックスによって区分される。
【００４９】
例えば、前記透明パネル１１０が液晶表示パネルである場合、画素はブラックマトリックスによって区分され、前記透明パネル１１０が有機発光表示パネルである場合、画素はパネル隔壁によって区分される。
【００５０】
画素の各々において、映像が出力される領域を透過部とし、前記ブラックマトリックス又は前記パネル隔壁によって映像が出力されない領域を非透過部とする。
【００５１】
前記透明パネル１１０が前記液晶表示パネルである場合、前記透過部には液晶、透明な画素電極及び透明な共通電極などが配置され、前記非透過部には、前記ブラックマトリックス、前記ゲートライン、前記データライン及び前記液晶を駆動するための薄膜トランジスタなどが配置される。
【００５２】
前記透明パネル１１０が、前記有機発光表示パネルである場合、前記透過部には光を出力する有機発光ダイオードが配置され、前記非透過部には、前記隔壁及び前記有機発光ダイオードを駆動するための各種の素子が配置される。
【００５３】
前記透明パネル１１０の正面の左右両側のうち、少なくとも一側には、ゲートドライバーの機能を実行するゲートドライバー用チップ１１２が装着されているゲートドライバー用チップオンフィルム１１１が付着される。特に、前記ゲートドライバー用チップオンフィルム１１１は、前記透明パネル１１０を構成する下部基板のパッド部に付着される。
【００５４】
前記ゲートドライバー用チップオンフィルム１１１は、少なくとも一つ以上具備される。図２には、左右両側全てに前記ゲートドライバー用チップ１１２が付着されている前記透明パネル１１０が図示されている。又、図２に示された前記透明パネル１１０の左側及び右側各々には、四つの前記ゲートドライバー用チップオンフィルム１１１が付着される。
【００５５】
前記ゲートドライバー用チップ１１２は、前記透明パネル１１０に具備されたゲートラインにゲートパルスを順次供給する。前記ゲートパルスが供給される間、前記透明パネル１１０に具備されたデータラインにデータ電圧が供給され、前記ゲートラインに対応される水平ライン別に映像が出力される。
【００５６】
前記透明パネル１１０の正面の下段には、データドライバーの機能を実行するデータドライバー用チップ１１４が装着されているデータドライバー用チップオンフィルム１１３が付着され、前記データドライバー用チップオンフィルム１１３は、印刷回路基板１１５に付着される。
【００５７】
前記データドライバー用チップ１１４は、前記ゲートドライバー用チップ１１２によって前記ゲートラインに前記ゲートパルスが供給される間、前記データラインにデータ電圧を供給する。
【００５８】
前記印刷回路基板１１５には、前記ゲートドライバー用チップ１１２を制御するためのゲート制御信号及び前記データドライバー用チップ１１４を制御するためのデータ制御信号を生成して、前記ゲートドライバー用チップ１１２及び前記データドライバー用チップ１１４に伝送する制御部が配置される。
【００５９】
本発明は、前記ゲートドライバー用チップオンフィルム１１１に装着された前記ゲートドライバー用チップ１１２が、前記バックカバー１３０に具備された前記チップ溝１３１に挿入されることを特徴とする。したがって、以下では、前記ゲートドライバー用チップオンフィルム１１１を簡単にチップオンフィルム１１１とし、前記ゲートドライバー用チップ１１２を簡単にチップ１１２とする。
【００６０】
前記遮光板１２０は、前記透明パネル１１０の背面に配置される。前記遮光板１２０は、前記透明表示装置の背面方向から伝送された光の透過度を可変させて、前記透明パネル１１０に伝送する。
【００６１】
前記透明パネルで製造された透明表示装置は、映像出力と同時に、前記透明表示装置の後ろの背景を見ることができるという長所を有するため、利用されている。
【００６２】
しかし、前記透明表示装置の後ろの背景が見えるのを望まないユーザーが在りえる。又、前記透明表示装置の後ろの背景によって、表示装置から出力される映像が不明瞭になることもあり得る。
【００６３】
この場合、ユーザーは、前記遮光板１２０の透過度を変更することができる。
【００６４】
詳細に説明すると、前記透明表示装置は、暗い環境では良好なコントラスト比（ｃｏｎｔｒａｓｔ  ｒａｔｉｏ）を有するが、光がある一般環境では、コントラスト比が低下する短所を有する。
【００６５】
したがって、コントラスト比の低下を防止するために、光を遮光する遮光モードと光を透過させる透過モードを具現することができる前記遮光板１２０が利用される。
【００６６】
前記遮光板１２０としては、電気変色（Ｅｌｅｃｔｒｏｃｈｒｏｍｉｃ）特性を有するパネルが利用され、又は、液晶を利用したパネルが利用される。前記遮光板の構成を簡単に説明すると次の通りである。
【００６７】
前記電気変色特性を有する前記遮光板１２０は、下部ベース基板、下部補助電極、下部メイン電極と下部電気変色物質が塗布された下部基板、上部ベース基板、上部補助電極、上部メイン電極とカウンター物質が塗布された上部基板及び前記下部基板と前記上部基板の間に配置される電解物質を含むことができる。
【００６８】
この場合、前記下部ベース基板及び前記上部ベース基板の各々は、プラスチックフィルム（ｐｌａｓｔｉｃ  ｆｉｌｍ）とすることができる。
【００６９】
前記下部補助電極及び前記上部補助電極の各々は、不透明な電極であることができる。前記不透明な電極は、銅（Ｃｕ）又は、アルミニウム（Ａｌ）であることができるが、これに限定されない。
【００７０】
前記下部メイン電極及び前記上部メイン電極の各々は、透明な電極であることができる。前記透明な電極は、酸化インジウムスズ（Ｉｎｄｉｕｍ  Ｔｉｎ  Ｏｘｉｄｅ、ＩＴＯ）、酸化インジウム亜鉛Ｉｎｄｉｕｍ  Ｚｉｎｃ  Ｏｘｉｄｅ、ＩＺＯ）などであることができるが、これに限定されない。
【００７１】
前記下部メイン電極及び前記上部メイン電極に電圧が印加されると、前記下部電気変色物質、前記カウンター物質及び前記電解物質では、酸化還元反応が起こり、これにより前記下部電気変色物質の色が変わるようになる。
【００７２】
前記下部電気変色物質は、透明導電性酸化物（Ｔｒａｎｓｐａｒｅｎｔ  Ｃｏｎｄｕｃｔｉｖｅ  Ｏｘｉｄｅｓ、ＴＣＯ）のようなコア物質と前記コア物質に結合された電気変色物質を含むことができる。前記コア物質には、ＴｉＯ２、Ｉｎ２０３、ＳｎＯ２、ＲｕＯ２、またはＩＴＯにＴｉＯ２が表面処理された物質が利用されることができる。
【００７３】
前記電気変色物質には、還元反応が起こる場合、所定の色を吸収することで所定の色を帯び、酸化反応が起こる場合、透明に変わる物質が利用されることができる。例えば、前記電気変色物質は、ビオロゲン（１、１´‐ｄｉｂｅｎｚｙｌ‐４、４´‐ｂｉｐｙｒｉｄｉｎｉｕｍ  ｂｉｓｔｅｔｒａｆｌｕｏｒｂｏｒａｔｅ）であることができる。
【００７４】
前記電解物質は、電解質、ポリマー及びＵＶ開始剤を含むことができる。前記電解質は、Ｌｉｔｈｉｕｍ  ｐｅｒｃｈｌｏｒａｔｅ、ｔ‐ｂｕｔｙｌａｍｍｏｉｎｕｍ ｐｅｒｃｈｌｏｒａｔｅ、ｔ‐ｂｕｔｙｌａｍｍｏｉｎｕｍ‐ｔｆｌｕｏｒｏｂｏｒａｔｅ、またはｔｅｔｒａｂｕｔｙｌａｍｍｏｎｉｎｕｍ  ｔｒｉｆｌｕｏｒｏｍｅｔｈａｎｅｓｕｌｆｏｎａｔｅであることができる。前記ポリマーは、アクリルレート系、ポリエステル系、またはエポキシ系ポリマーであることができる。前記ＵＶ開始剤は、ベンゾインエーテル類、またはアミン類であることができる。
【００７５】
前記液晶を利用した前記遮光板１２０は、下部基板、上部基板及び液状材料を含むことができる。
【００７６】
この場合、前記下部基板は、下部ベース基板及び下部電極を含むことができ、前記上部基板は、上部ベース基板及び上部電極を含むことができる。
【００７７】
前記下部ベース基板及び前記上部ベース基板の各々は、プラスチックフィルム（ｐｌａｓｔｉｃ  ｆｉｌｍ）であることができる。
【００７８】
前記液状材料は、前記下部基板と前記上部基板の間で、前記下部基板または前記上部基板に具備された隔壁の間に注入される。前記液状材料は、液晶であることができる。
【００７９】
前記上部電極と前記下部電極に印加される電圧によって前記液晶の屈折率が変更され、前記遮光板１２０の透過度が変更されることができる。
【００８０】
しかし、前記遮光板１２０は、本発明に係る透明表示装置に具備されないこともできる。
【００８１】
前記バックカバー１３０は、透明な物質、例えば、透明なガラス基板であることができる。
【００８２】
前記バックカバー１３０の正面には、前記遮光板１２０が配置され、前記バックカバー１３０の背面には、前記透明パネル１１０に連結された前記チップオンフィルム１１１に具備された前記チップ１１２が挿入されるチップ溝１３１が具備される。
【００８３】
詳細に説明すると、前記バックカバー１３０は、前記透明パネル１１０が配置される正面、前記透明パネル１１０に連結された前記チップオンフィルム１１１に具備された前記チップ１１２が挿入される前記チップ溝１３１が具備された背面及び前記チップオンフィルム１１１をガイドするためのラウンド状の側面を含む。
【００８４】
前記フィルムハウジング１４０は、前記透明パネル１１０、前記遮光板１２０及び前記バックカバー１３０に装着され、前記透明パネル１１０の側面、前記遮光板１２０の側面及び前記バックカバー１３０の側面をカバーし、前記チップオンフィルム１１１をカバーする。
【００８５】
前記遮光板１２０が省略された場合、前記フィルムハウジングは、前記透明パネル１１０及び前記バックカバー１３０の側面だけをカバーしながら、前記チップオンフィルム１１１をカバーすることができる。
【００８６】
複数の前記チップオンフィルム１１１が、前記透明パネル１１０に付着された場合、前記フィルムハウジング１４０は、前記チップオンフィルム１１１の各々をカバーすることができ、又、前記チップオンフィルム１１１全てをカバーすることもできる。
【００８７】
例えば、図２には一側に、四つの前記チップオンフィルム１１１が配置された前記透明パネル１１０が示されており、したがって、前記四つのチップオンフィルム１１１の各々をカバーするために四つの前記フィルムハウジング１４０が示されている。
【００８８】
しかし、本発明では、前記四つのチップオンフィルム１１１が一つの前記フィルムハウジング１４０によって全てカバーされることができる。
【００８９】
前述されたように、本発明は、透明パネルを利用する透明表示装置に適用される。その理由は、透明表示装置では、ゲートドライバーが透明パネルに内蔵される方式（ＧＩＰ：Ｇａｔｅ  Ｉｎ  Ｐａｎｅｌ）の利用が難しいためである。例えば、ＧＩＰ方式のゲートドライバーが内蔵された非表示領域を透明にするためには、前記ゲートドライバーを構成するＴＦＴの間隔が広くならなければならない。また、ＧＩＰ方式のゲートドライバーが内蔵された非表示領域で上部基板と下部基板を合着するために紫外線硬化方式が利用されるが、この場合、前記紫外線硬化のために前記ゲートドライバーを構成するＴＦＴの間隔が広くならなければならない。したがって、ＧＩＰ方式が利用される透明パネルでは、非表示領域が増加される問題が発生する。これによって透明パネルが適用される本発明に係る透明表示装置では、前記チップ１１２が装着されたチップオンフィルム１１１が、前記透明パネル１１０に付着される。
【００９０】
図３は、本発明に係る透明表示装置の角部分の正面を示す例示図であり、特に、図２に示すＹ領域を示す例示図である。図２では、前記透明パネル１１０、前記遮光板１２０及び前記バックカバー１３０が互いに分離されているが、図３は、前記透明パネル１１０、前記遮光板１２０及び前記バックカバー１３０が互いに結合されている前記Ｙ領域を示す。図４は、図３に示された角部分の背面を示す例示図である。
【００９１】
本発明に係る透明表示装置は、前述したように、前記透明パネル１１０、前記遮光板１２０、前記バックカバー１３０及び前記フィルムハウジング１４０を含む。ここで、前記遮光板１２０及び前記フィルムハウジング１４０は省略されることができる。図３及び図４に示された前記透明表示装置には、前記フィルムハウジング１４０が省略されており、前記遮光板１２０が具備されている。
【００９２】
前記バックカバー１３０の正面には、図３に図示するように、前記透明パネル１１０及び前記遮光板１２０が配置されることができ、前記バックカバー１３０の背面には、図４に図示するように、前記透明パネル１１０に連結された前記チップオンフィルム１１１に具備された前記チップ１１２が挿入されるチップ溝１３１が具備される。
【００９３】
前記チップオンフィルム１１１は、図３に図示するように、前記バックカバー１３０のラウンド状の側面に沿って曲がり、図４に図示するように、前記バックカバー１３０の前記背面に配置される。
【００９４】
前記チップオンフィルム１１１に具備された前記チップ１１２は、前記バックカバー１３０の前記背面で前記チップ溝１３１に挿入される。
【００９５】
前述されたように、前記チップ１１２は、ゲートドライバーの機能を実行することができる。
【００９６】
前記透明パネル１１０は、上部基板１０２及び下部基板１０１を含むことができる。前記チップオンフィルム１１１は、前記下部基板１０１のパッド部（Ｐ）に付着される。前記パッド部（Ｐ）には、少なくとも一つ以上の前記チップオンフィルム１１１が付着されることができる。図２に示された前記パッド部（Ｐ）には、四つの前記チップオンフィルム１１１が付着されている。
【００９７】
この場合、前記バックカバー１３０の前記背面には、前記チップオンフィルム１１１に対応される複数個の前記チップ溝１３１が具備されることができる。
【００９８】
詳細に説明すると、前記バックカバー１３０の前記背面には、前記チップオンフィルム１１１の各々に装着されている前記チップ１１２が独立的に挿入されることができる前記チップ溝１３１が具備されることができる。
【００９９】
例えば、前記パッド部（Ｐ）に四つの前記チップオンフィルム１１１が付着されている場合、前記バックカバー１３０の前記背面には、四つの前記チップ溝１３１が独立的に具備されることができる。この場合、四つの前記チップオンフィルム１１１の各々に装着されている四つの前記チップ１３１の各々は、前記四つのチップ溝１３１に各々挿入される。
【０１００】
前記チップ溝１３１が前記バックカバー１３０の背面全体に形成されないため、前記チップ溝１３１を形成する工程が速やかに行われることができる。
【０１０１】
しかし、前記チップ溝１３１は、前記チップオンフィルムに具備されたチップが挿入されることができるように、図４に図示するように、前記バックカバー１３０の前記背面の一側の終端から他側の終端に連続的に具備されることができる。
【０１０２】
前記チップ溝１３１が連続的に具備されるため、前記チップ溝１３１を形成するための工程が簡単になることができる。
【０１０３】
前記チップ溝１３１の幅は、前記チップ１１２の幅より大きいか又は同に形成することができる。
【０１０４】
図５は、本発明に係る透明表示装置の角部分の正面を示す他の例示図であり、特に、図２に示されたＹ領域を示す例示図である。図５では、前記透明パネル１１０、前記遮光板１２０及び前記バックカバー１３０が互いに分離されているが、図５は、前記透明パネル１１０、前記遮光板１２０及び前記バックカバー１３０が互いに結合されている前記Ｙ領域を示す。図６は、図５に示された角部分の背面を示す例示図である。
【０１０５】
本発明に係る透明表示装置は、前述したように、前記透明パネル１１０、前記遮光板１２０、前記バックカバー１３０及び前記フィルムハウジング１４０を含む。ここで、前記遮光板１２０及び前記フィルムハウジング１４０は省略されることができる。
【０１０６】
前記フィルムハウジング１４０は、前記チップオンフィルム１１１を前記透明パネル１１０、前記遮光板１２０及び前記バックカバー１３０の側面に密着させて固定する機能を実行する。したがって、前記フィルムハウジング１４０は省略されることができる。
【０１０７】
しかし、図５及び図６に示された前記透明表示装置には、前記フィルムハウジング１４０及び前記遮光板１２０が具備されている。
【０１０８】
詳細に説明すると、図３及び図４に示された前記透明表示装置は、前記フィルムハウジング１４０を含んでいないが、図５及び図６に示された前記透明表示装置は、前記フィルムハウジング１４０を含む。したがって、図５及び図６に示された前記透明表示装置は、図３及び図４に示された前記透明表示装置と比較する時、前記フィルムハウジング１４０をさらに含んでいるという点を除いては、その構成及び機能が同一である。したがって、以下では、前記フィルムハウジング１４０だけが説明される。
【０１０９】
前記フィルムハウジング１４０は、前記透明パネル１１０、前記遮光板１２０及び前記バックカバー１３０に装着され、前記透明パネル１１０の側面、前記遮光板１２０の側面及び前記バックカバー１３０の側面をカバーする。特に、前記フィルムハウジング１４０は、前記チップオンフィルム１１１をカバーする。
【０１１０】
この場合、前記フィルムハウジング１４０の一側は、図５に図示するように、前記透明パネル１１０の前記パッド部（Ｐ）に配置され、前記パッド部（Ｐ）に連結された前記チップオンフィルム１１１の一側をカバーする。
【０１１１】
また、前記フィルムハウジング１４０の他側は、図６に図示するように、前記バックカバー１３０の背面に配置され、前記背面に配置された前記チップオンフィルム１１１の他側をカバーする。
【０１１２】
前記フィルムハウジング１４０は、前記フィルムハウジング１４０の前記一側と前記他側が互いに向かい合おうとする弾性力を有している。したがって、前記フィルムハウジング１４０は、前記パッド部（Ｐ）と前記バックカバー１３０の前記背面に密着されることができる。これによって前記フィルムハウジング１４０は、前記透明パネル１１０、前記遮光板１２０及び前記バックカバー１３０の側面に固定されることができる。
【０１１３】
また、前記フィルムハウジング１４０が前記透明パネル１１０、前記遮光板１２０及び前記バックカバー１３０の側面に固定されることができるため、前記チップオンフィルム１１１が前記フィルムハウジング１４０によってカバーされることができ、これによって前記チップオンフィルム１１１が保護されることができる。
【０１１４】
前記フィルムハウジング１４０は、Ｍｇ又はＲｕｂｂｅｒ、Ｕｒｅｔｈａｎｅ材質を利用して構成されることができる。
【０１１５】
図７は、本発明に係る透明表示装置の正面を示す例示図であり、図８は、本発明に係る透明表示装置の背面を示す例示図である。
【０１１６】
本発明に係る透明表示装置は、前記透明パネル１１０及び前記バックカバー１３０を含み、前記遮光板１２０及び前記フィルムハウジング１４０をさらに含むことができる。図７及び図８は、前記フィルムハウジング１４０を含んでいる本発明に係る透明表示装置の正面と背面を示す。
【０１１７】
本発明に係る透明表示装置の左右両側各々のべゼルの大きさ（Ｋ）は、前記パッド部（Ｐ）の幅（Ａ）及び前記チップオンフィルム１１１のうち前記パッド部（Ｐ）の外郭に突出された部分の幅を合わせた長さであることができる。
【０１１８】
前記チップオンフィルム１１１が前記フィルムハウジング１４０によってカバーされている場合、前記透明表示装置の左右両側各々のべゼルの大きさ（Ｋ）は、図７及び図８に図示するように、前記パッド部（Ｐ）の幅（Ａ）及び前記フィルムハウジング１４０のうち前記パッド部（Ｐ）の外郭に突出された部分の幅（Ｃ）を合わせた長さであることができる。
【０１１９】
この場合、前記チップ溝１３１は、図８に図示するように、前記パッド部（Ｐ）に対応される位置に配置される。したがって、前記チップ溝１３１は、前記透明表示装置のべゼルの大きさ（Ｋ）に影響を及ぼさないことができる。
【０１２０】
前記バックカバー１３０の厚さは、前記チップ１１２が前記チップ溝１３１に配置されることができるように調節されることができる。
【０１２１】
また、前記チップ１１２は、前記バックカバー１３０の厚さ及び前記チップオンフィルム１１１が配置される前記バックカバー１３０の側面の曲率を変更することによって、前記チップ溝１３１に配置されることができる。
【０１２２】
上述した本発明を簡単に整理すると次の通りである。
【０１２３】
本発明は、チップオンフィルムが付着される透明パネルの左右両側のべゼルの大きさを減らすことを目的とする。
【０１２４】
前記目的を達成するために、本発明では、透明なバックカバー１３０が、前記透明パネル１１０の背面に配置され、前記バックカバー１３０の背面には、前記透明パネル１１０に付着された前記チップオンフィルム１１１に装着されている前記チップ１１２が挿入され固定されることができる前記チップ溝１３１が具備される。
【０１２５】
従来には、チップオンフィルム、具体的には、ゲートドライバーの機能を実行するゲートドライバー用チップが具備されたゲートドライバー用チップオンフィルムが、バンディングされない状態でケースなどによって装着されるため、前記チップオンフィルムの幅によりべゼルの大きさが増加された。しかし、本発明では、ゲートドライバー用チップが装着された前記チップオンフィルム１１１が、前記バックカバー１３０によってバンディングされ、前記チップオンフィルム１１１に装着された前記ゲートドライバー用チップ１１２が、前記チップ溝１３１に挿入され固定される。したがって、前記チップオンフィルム１１１が付着されている前記透明パネル１１０を含む前記透明表示装置のべゼルの大きさが減少することができる。
【０１２６】
また、本発明では、前記バックカバー１３０に沿って曲がる前記チップオンフィルム１１１を前記バックカバー１３０に密着及び固定させるために、前記フィルムハウジング１４０が利用される。例えば、前記フィルムハウジング１４０は、前記透明パネル１１０及び前記バックカバー１３０の側面に装着され、前記透明パネル１１０の側面及び前記バックカバー１３０の側面をカバーして、前記チップオンフィルム１１１をカバーする。
【０１２７】
前記フィルムハウジング１４０は、Ｍｇ又はＲｕｂｂｅｒ、Ｕｒｅｔｈａｎｅ材質を利用して構成されることができる
【０１２８】
前記フィルムハウジング１４０の側面は、ラウンド状に形成されているため、前記チップオンフィルムが曲がらない。
【０１２９】
本発明の属する技術の分野における当業者には、本発明がその技術的思想や必須特徴を変更せず他の具体的な形態に実施できるということが理解されるであろう。したがって、上述した実施例は、すべての面で例示的なものであり、限定的なものではないと理解しなければならない。本発明の範囲は、上記の詳細な説明よりは、後述する特許請求の範囲によって示され、特許請求の範囲の意味及び範囲、そしてその等価概念から導かれるすべての変更又は変形された形態が本発明の範囲に属するものと解釈しなければならない。
【符号の説明】
【０１３０】
１１０    透明パネル
１２０    遮光板
１３０    バックカバー
１４０    フィルムハウジング
【図１】
2017049563.tif 000003
【図２】
2017049563.tif 000004
【図３】
2017049563.tif 000005
【図４】
2017049563.tif 000006
【図５】
2017049563.tif 000007
【図６】
2017049563.tif 000008
【図７】
2017049563.tif 000009
【図８】
2017049563.tif 000010